(57)【要約】【課題】気体の流通抵抗を増やすことなく小型化が可能で、光照射効率も向上させることができ、構造も簡易で省エネ、低コスト化を実現でき、熱の問題も解決できる光触媒装置を提供する。【解決手段】波型の部材よりなり、山部２１の頂部および谷部２２の底部に光が通過する光通過穴２３が形成され、表面に光触媒が担持された光触媒フィルタ２と、この光触媒フィルタの一方の面２ａに対して紫外線又は可視光の光を照射する光照射部３と、他方の面２ｂに対面する側に設けられ、光照射部３から照射されて光触媒フィルタの光通過穴２３を通過した光を、他方の面２ｂに向けて反射させる反射壁４と、光照射部３と光触媒フィルタとの間の隙間ｓ１、および光触媒フィルタと反射壁４との隙間ｓ２に対して光触媒フィルタの表／裏面上を山部および谷部が延びている方向に沿って一端側から他端側に向けて気体を流通させる気体の流入部１１および流出部１２とを備えた【選択図】図３
2019103963.tif 000002
【特許請求の範囲】
【請求項１】
山部と谷部が交互に複数形成された波型の部材よりなり、前記山部の頂部および谷部の底部にそれぞれ紫外線又は可視光の光が通過する光通過穴が形成され、表面に光触媒が担持された光触媒フィルタと、
前記光触媒フィルタの表裏面のうち一方の面に対し、紫外線又は可視光の光を照射する光照射部と、
前記光触媒フィルタの前記表裏面のうち他方の面に対面する側に設けられ、前記光照射部から照射されて前記光触媒フィルタの山部及び谷部の前記光通過穴を通過した光を前記他方の面に向けて反射させる反射壁と、
前記光照射部および反射壁と前記光触媒フィルタとの間の各隙間に対し、該光触媒フィルタの表裏面上を山部および谷部が延びている方向に沿って一端側から他端側に向けて気体を流通させる、該光触媒フィルタの一端側および他端側に設けられる気体の流入部および流出部と、
を備えたことを特徴とする光触媒装置。
【請求項２】
前記光触媒フィルタを前記一端側又は他端側で支持する金属製の支持部材を設け、該支持部材に前記光照射部を支持させてなる請求項１記載の光触媒装置。
【請求項３】
前記光照射部が、
前記光触媒フィルタの前記一端側又は他端側に対応する位置に設けられる光源と、
前記光触媒フィルタの前記一方の面に対面する発光表面を有し、前記光源の光を内部に取り込んで前記発光表面から前記光触媒フィルタの前記一方の面に光を照射する導光部材と、
より構成される請求項１又は２記載の光触媒装置。
【請求項４】
前記光触媒フィルタの光通過穴が、前記山部および谷部が延びている方向に長い貫通溝であり、該貫通溝の長手方向に沿った一対の互いに対向する開口縁部には、該貫通溝を形成するために切り起こされ、当該山部又は谷部の凸面側に起立する起立片がそれぞれ設けられている請求項１〜３の何れか１項に記載の光触媒装置。
【発明の詳細な説明】
【技術分野】
【０００１】
本発明は、光触媒が担持された光触媒フィルタと、該光触媒フィルタの面に紫外線又は可視光の光を照射する光照射部とを備えた光触媒装置に関する。
【背景技術】
【０００２】
この種の光触媒装置としては、内部にガスを流通可能な筐体と、筐体内に配置される光触媒フィルタと、基板に複数の発光ダイオードを実装して光触媒フィルタの面に対して光照射する第１、第２の照射部を備え、第１、第２の照射部が交互に並列配列される光照射ユニットとを備える光触媒装置が提案されている（例えば、特許文献１参照。）。
【０００３】
このように、従来の光触媒装置はいずれも光触媒フィルタのフィルタ面に光照射しながら、当該光触媒フィルタの通気孔に気体（ガス）を通過させ、その通過の過程で気体中の有害物質や悪臭等を光触媒により分解・除去するものである。したがって、従来の光触媒装置では、光触媒フィルタの両面側に気体（ガス）を滞りなく通気孔に通すための入口側の流路および出口側の流路が各フィルタ面全域に対面する側に設ける必要であり、フィルタの厚み方向に装置寸法が大きくなる。
【０００４】
そして、この入口側または出口側の流路内には、フィルタ面に対して光照射する照射部を設ける必要もあり、当該照射部は気体の流通を妨げないようにすることが必要であるため、たとえば引用文献１のように、気体の流通抵抗を増やすことなく光照射するための構造が複雑になる傾向にあり、コスト増大の原因にもなるとともに、光照射効率を向上させるにも限界があり、光照射量を確保するために消費電力が増大し、熱の発生量も増大してしまうという問題もあった。
【先行技術文献】
【特許文献】
【０００５】
【特許文献１】特開２０１３−１６９５０２号公報
【発明の概要】
【発明が解決しようとする課題】
【０００６】
そこで、本発明が前述の状況に鑑み、解決しようとするところは、気体の流通抵抗を増やすことなく、装置の薄型化または細径化などの小型化が可能であり、光照射効率も向上させることができ、構造も簡易で、省エネ、低コスト化を実現でき、熱の問題も解決できる光触媒装置を提供する点にある。
【課題を解決するための手段】
【０００７】
本発明者はかかる現況に鑑み、鋭意研究した結果、従来のように気体を光触媒フィルタの通気孔を通じてフィルタ面を貫くように一方の面から他方の面に通過させるのではなく、光触媒フィルタを波型部材とし、山部および谷部が延びている方向に沿って、その表裏面上を一端側から他端側に向けて気体を流通させるようにすることで、気体とフィルタ面との接触面積を維持しつつ、気体の入口側の流路及び出口側の流路をフィルタ面に対面する位置に設ける代わりに、フィルタの両端位置に気体の流入部、流出部を設けることで上記のとおり気体を流通させることができ、これによりフィルタの厚み方向の装置寸法を著しく小さくできること、また、これにより光照射部の設計の自由度も上がり、より光照射効率の高い新規な光照射形態を簡易な構造で実現でき、省エネ、コスト低減を実現できることを見出し、本発明を完成するに至ったものである。
【０００８】
すなわち本発明は、以下の発明を包含する。
（１）  山部と谷部が交互に複数形成された波型の部材よりなり、前記山部の頂部および谷部の底部にそれぞれ紫外線又は可視光の光が通過する光通過穴が形成され、表面に光触媒が担持された光触媒フィルタと、前記光触媒フィルタの表裏面のうち一方の面に対し、紫外線又は可視光の光を照射する光照射部と、前記光触媒フィルタの前記表裏面のうち他方の面に対面する側に設けられ、前記光照射部から照射されて前記光触媒フィルタの山部及び谷部の前記光通過穴を通過した光を前記他方の面に向けて反射させる反射壁と、前記光照射部および反射壁と前記光触媒フィルタとの間の各隙間に対し、該光触媒フィルタの表裏面上を山部および谷部が延びている方向に沿って一端側から他端側に向けて気体を流通させる、該光触媒フィルタの一端側および他端側に設けられる気体の流入部および流出部と、を備えたことを特徴とする光触媒装置。
【０００９】
（２）  前記光触媒フィルタを前記一端側又は他端側で支持する金属製の支持部材を設け、該支持部材に前記光照射部を支持させてなる（１）記載の光触媒装置。
【００１０】
（３）  前記光照射部が、前記光触媒フィルタの前記一端側又は他端側に対応する位置に設けられる光源と、前記光触媒フィルタの前記一方の面に対面する発光表面を有し、前記光源の光を内部に取り込んで前記発光表面から前記光触媒フィルタの前記一方の面に光を照射する導光部材と、より構成される（１）又は（２）記載の光触媒装置。
【００１１】
（４）  前記光触媒フィルタの光通過穴が、前記山部および谷部が延びている方向に長い貫通溝であり、該貫通溝の長手方向に沿った一対の互いに対向する開口縁部には、該貫通溝を形成するために切り起こされ、当該山部又は谷部の凸面側に起立する起立片がそれぞれ設けられている（１）〜（３）の何れかに記載の光触媒装置。
【発明の効果】
【００１２】
以上にしてなる本願発明に係る光触媒装置は、波型で十分な表面積を有する光触媒フィルタのフィルタ両面に、光照射しながら、当該両側のフィルタ面に沿って山部および谷部の延びる方向に気体（ガス）を通過させることで、気体中の有害物質や悪臭等を光触媒により効率よく分解・除去することができる。
【００１３】
また、従来、フィルタ面に対面した位置に必要であった気体の入口側の流路および出口側の流路を省略し、代わりにフィルタの両端位置に気体の流入部、流出部を設けることで上記のとおり気体を流通させることができることから、フィルタの厚み方向の装置寸法を著しく小さくできるとともに、光照射部の設計の自由度も向上する。
【００１４】
さらに、山部の頂部および谷部の底部にそれぞれ紫外線又は可視光の光が通過する光通過穴が形成され、光触媒フィルタの表裏面のうち一方の面に対し、紫外線又は可視光の光を照射する光照射部と、光触媒フィルタの前記表裏面のうち他方の面に対面する側に設けられ、前記光照射部から照射されて前記光通過穴を通過した光を前記他方の面に向けて反射させる反射壁とを設けたので、フィルタ両面を効率よく照射でき、光照射効率の高い光照射形態が簡易な構造で実現され、省エネ、コスト低減を実現でき、発熱量も抑えることができる。この光通過穴は、空気も流通できるが、従来のように主に気体の流通路として設けたものではなく、主に光を通す穴として設けたものである。
【００１５】
このような光照射部および反射壁による高効率の光照射形態は、上述のとおりフィルタ面に対面した位置に必要であった気体の入口側の流路および出口側の流路が省略されることで実現されるものである。また、気体は波型のフィルタの山部及び谷部の延びる方向に沿って流れ、上記光照射部や反射壁は気体の流通の邪魔にならないことから、これら光照射部や反射壁とフィルタ面との距離を近づけ、フィルタの厚み方向の装置寸法を小さい寸法に抑えることが可能である。したがって、例えば冷蔵庫内に設けて冷蔵室の脱臭や野菜室のＶＯＣの分解に用いたり、自動車の飲料用ホルダーにフィットするようにして車内の脱臭や除菌に用いたり、家庭のベッドサイドや靴箱内、洋服クローゼット内、机の上などにおいて小スペースでの脱臭や除菌に用いるのに好適な装置に構成することができる。
【００１６】
ここで、前記光触媒フィルタを前記一端側又は他端側で支持する金属製の支持部材を設け、該支持部材に前記光照射部を支持させたものでは、光照射部が発する熱を支持部材を通じて同じく金属製の光触媒フィルタに伝達し、該光触媒フィルタをヒートシンクとして表面を流通する前記気体により効率よく放熱させることができる。
【００１７】
また、光照射部が、光触媒フィルタの前記一端側又は他端側に対応する位置に設けられる光源と、前記光触媒フィルタの前記一方の面に対面する発光表面を有し、前記光源の光を内部に取り込んで前記発光表面から前記光触媒フィルタの前記一方の面に光を照射する導光部材とより構成したものでは、光照射部の薄型化が可能となり、フィルタの厚み方向の装置寸法をより小さい寸法に抑えることが可能となる。このような導光部材は、上述のとおりフィルタ面に対面した位置に必要であった気体の入口側の流路および出口側の流路が省略されることで効率良く用いることが可能となるものである。
【００１８】
また、前記光触媒フィルタの光通過穴が、前記山部および谷部が延びている方向に長い貫通溝であり、該貫通溝の長手方向に沿った一対の互いに対向する開口縁部には、該貫通溝を形成するために切り起こされ、当該山部又は谷部の凸面側に起立する起立片がそれぞれ設けているものでは、山部と谷部による凹凸表面により大きな表面積を備えるとともに、その山部又は谷部に形成される貫通溝の開口縁部の起立片の分も表面積が増え、気体と当該光触媒フィルタ表面との接触面積を十分に確保することができ、触媒反応がより効率良く行われるとともに光触媒層も多く設けることができ、優れた清浄化効果が得られる。
【００１９】
また、凹凸波型の部材に貫通溝と起立片が形成される構造であるため、従来のセラミックフィルタやエッチング処理を必要とするフィルタに比べ、プレス等の機械加工により生産コストを低く抑えることが可能である。また山部の頂部および谷部の底部に貫通溝が設けられるため、変形が容易であり、形状の自由度が高くなる。さらに、切り起こし片とすることで、母材を無駄にすることなく、接触面積を最大限に維持することができるとともに機械加工で効率よく低コストに形成することができる。
【図面の簡単な説明】
【００２０】
【図１】本発明の第１実施形態に係る光触媒装置を示す蓋部材を分離させた斜視図。
【図２】同じく光触媒装置の分解斜視図。
【図３】同じく光触媒装置を構成する光触媒デバイスユニットの縦断面図。
【図４】同じくユニットの横断面図。
【図５】同じくユニットに設けられる光触媒フィルタを示す斜視図。
【図６】（ａ）は同じく光触媒フィルタを筒状に形成する前のフラットの状態を示す斜視図、（ｂ）は平面図。
【図７】同じく側面図
【図８】同じく要部の斜視図。
【図９】光触媒装置を構成する上記ユニットと電源ケースを分離した状態を示す斜視図。
【図１０】光触媒フィルタを２つ内蔵したユニットの変形例。
【図１１】本発明の第２実施形態に係る光触媒装置を示す上側筐体を分離させた斜視図。
【図１２】同じく光触媒装置の分解斜視図。
【図１３】同じく光触媒装置を構成する光触媒デバイスユニットの縦断面図。
【図１４】光触媒装置を構成する上記ユニットと電源ケースを分離した状態を示す斜視図。
【図１５】下側筐体および内部構造を示す分解斜視図。
【図１６】上側ケースの構成を示す分解斜視図。
【図１７】本発明の第３実施形態に係る光触媒装置を山部または谷部が延びる方向に沿って切断した縦断面図。
【図１８】同じく山部または谷部の延びる方向に直交する方向に切断した縦断面図。
【図１９】本発明の第４実施形態に係る光触媒装置を示す縦断面図。
【発明を実施するための形態】
【００２１】
次に、本発明の実施形態を添付図面に基づき詳細に説明する。まず、図１〜１０に基づき、第１実施形態を説明する。
【００２２】
本発明の光触媒装置１は、図１〜図４に示すように、山部２１と谷部２２が交互に複数形成された波型の部材２０よりなり、前記山部２１の頂部および谷部２２の底部にそれぞれ紫外線又は可視光の光が通過する光通過穴２３が形成され、表面に光触媒が担持された光触媒フィルタ２と、この光触媒フィルタ２の表裏面のうち一方の面２ａに対して紫外線又は可視光の光を照射する光照射部３と、光触媒フィルタ２の他方の面２ｂに対面する側に設けられ、光照射部３から照射されて光触媒フィルタ２の光通過穴２３を通過した光を、他方の面２ｂに向けて反射させる反射壁４と、光照射部３と光触媒フィルタ２との間の隙間ｓ１、および光触媒フィルタ２と反射壁４との隙間ｓ２に対して、それぞれ光触媒フィルタ２の表／裏面上を山部および谷部が延びている方向に沿って一端側から他端側に向けて気体を流通させる、該光触媒フィルタ２の一端側２ｃおよび他端側２ｄに設けられる気体の流入部１１および流出部１２とを備えたことを特徴とする。
【００２３】
光触媒フィルタ２は、図６〜図８に示すように、部材２０をプレス加工することにより、複数の山部２１の頂部、複数の谷部２２の底部がそれぞれすべて同一平面上に位置する平坦な波板形状に加工され、表面に光触媒層が被覆形成された後、表裏面のうち一方の面２ａを内側に向けて山部２１および谷部２２が各々延びている方向に平行な軸を中心に筒状に丸め、両端の山部２１または谷部２２を互いに重ね合わせて接合することで、図５に示すように筒状形状に構成されたものである。この筒状の光触媒フィルタ２が、同じく筒状の周壁６１を有する筐体６の内部に該筐体６と同軸になるように収納される。
【００２４】
本例の光触媒フィルタ２は、山部２１及び谷部２２を角張った方形状して全体として凹凸形状の波型に構成されているが、山部及び谷部がなだらかな連続した曲面形状にされた波型に構成したものでも勿論よい。「山部」及び「谷部」は、凹凸形状（波型）の凹凸面の一方の面を上面、他方の面を下面として、上面側に突出した部位を「山部」、下面側に突出した部位を「谷部」とする。部材の素材としては、アルミニウムやステンレスその他、種々の金属素材を用いることができるが、これに限定されない。
【００２５】
光通過穴２３は、すべての山部２１又はすべての谷部２２に設ける必要はなく、たとえば一つ又は二つ以上の山部２１又は谷部２２を飛ばして形成してもよい。光通過穴２３の寸法や数、配置なども、本装置の用途や大きさ等に応じた適した保形性が得られるように、適宜決めることができる。本例では、一つの山部２１又は谷部２２に対して、山部２１又は谷部２２が延びている方向に長い貫通溝よりなる光通過穴２３を二つ、間隔をあけて連設し、間に形成される橋渡し部２５（当該山部２１又は谷部２２における光通過穴２３間の残部）によって全体として保形性を維持できる構造とされている。ただし、板厚やその他の寸法、求められる保形性の程度に応じて、光通過穴２３の長さや間隔を適宜決めることができ、例えば、列方向に光通過穴２３を三つ以上連設してもよいし、一つのみ構成したものでもよい。
【００２６】
光通過穴２３の長手方向に沿った一対の互いに対向する開口縁部には、該光通過穴２３を形成するために切り起こされた、当該山部２１又は谷部２２の凸面側に起立する起立片２４がそれぞれ設けられている。このように起立片２４が形成された光触媒フィルタ２は、山部２１と谷部２２による波型の凹凸表面によって気体に接触する大きな表面積を備えると同時に、その山部２１又は谷部２２に形成される光通過穴２３の内面、開口縁部の起立片２４の分も、気体及び光との接触面積が増えている。したがって、触媒反応が効率よく行われることになる。また起立片２４は、山部２１又は谷部２２の凸面側に起立しているため、起立片２４が光の進入を邪魔することなく、凹凸表面や貫通溝内面、起立片２４の表面に形成される当該触媒層に光を効率よく照射することができる。
【００２７】
起立片２４は、凹凸形状のプレス加工と同時、または直後に、打ち抜きによる切り起こし加工により効率良く形成することができる。開口縁部の双方に設けられる起立片２４は、各開口縁部のほぼ全長にわたって延びる長片とされているが、間隔をあけて複数の起立片２４を設けることも勿論できる。この場合、両開口縁部に交互に（千鳥状に）突出長さの長い起立片２４を切り起こしにより形成することもできる。中央から両側に切り起こすことにより、開口縁部の双方に設けられる起立片２４の高さ寸法は、同じ寸法となり、具体的には当該貫通溝の列方向に直交する幅方向の寸法の略半分の寸法となる。起立片２４を切り起こし加工により形成することで母材を無駄なく用いて形成することができ、接触面積を最大限に高めることが可能となる。
【００２８】
光触媒層は、酸化チタン等の紫外線励起型の光触媒粒子や、三酸化タングステンを主成分とした可視光励起型の光触媒粒子などの光触媒粒子を、部材の表面に担持させた層である。山部２１と谷部２２よりなる凹凸形状をプレス加工で成形する場合においては、あらかじめ表面に光触媒層を形成していると該層が剥がれてしまったり形状精度を狂わせる原因になることもある。これを避けるためには、凹凸形状に加工した後に上記層を形成すればよい。光触媒粒子の担持（光触媒層の形成）の方法は特に限定されないが、比較的コストの掛からないスラリー浸漬含浸法が好ましい。その他の浸漬含浸法、真空含浸法、ゾルゲル法などの手段を用いることもできる。
【００２９】
筐体６の中心位置には、図３及び図４から分かるように、外方に向けて光を放ち、対面する上記筒状の光触媒フィルタ２の内側を向いた一方の面２ａに光を照射する光照射部３が設けられている。光照射部３は、前記光触媒フィルタ２の面２ａの全面にほぼ均等に光を照射するべく、軸方向に光触媒フィルタ２と略同じ長さの領域にわたって設けられている。このような光照射部３としては、本例では前記フィルタ面２ａに対面する外周面３１ｂに発光表面を有する前記長さの柱状の導光部材３１を設けるとともに、該導光部材３１の一端側３１ｃに光源３０を設け、これにより光源３０の光が導光部材３１の内部に取り込まれ、前記発光表面（外周面３１ｂ）からフィルタ面２ａに光を照射するものとされている。
【００３０】
なお、このような導光部材３１を用いるのではなく、光源としてのＬＥＤ素子が軸方向に沿って所定間隔おきに設けられた前記長さのＬＥＤ基板を複数枚、互いに異なる方向に向けて配置し、周囲のフィルタ面２ａの全面に光を照射するように構成したものも好ましい。ただし、本例のように導光部材とその一端側の光源により構成したものは、より均一的に周囲に光を放射できるとともに、熱を発する光源を局所的に設けることができ、その放熱も後述のように支持部材５等を通じて効率よく行うことができるため、より好ましい例である。
【００３１】
導光部材３１は、円柱状のものとされ、光源３０に対面する一端側と反対側の他端側３１ｄには、内面が反射面となった遮光層３２が設けられている。光源３０としては、光触媒フィルタ２の光触媒に適した波長の紫外線又は可視光の光を発するＬＥＤ素子が用いられ、該ＬＥＤ素子を有するＬＥＤ基板３３が導光部材３１の一端側に対面するように配置されている。
【００３２】
光触媒フィルタ２および光照射部３は、図２および図３に示すように、金属製の共通の支持部材５により同軸状に支持されている。具体的には、支持部材５は、外側の位置に、光触媒フィルタ２の一端側２ｃ（図では下端側）の端部外周面を保持する第１の保持片５１が突設されるとともに、その内側の位置に、光照射部３の導光部材３１の同じく一端側３１ｃ（図では下端側）の端部外周面を保持する第２の保持片５２が突設されており、第２の保持片５２のさらに内側の中央領域に、上記ＬＥＤ基板３３を取り付ける取付面５３が設けられている。
【００３３】
導光部材３１の発光表面（外周面３１ｂ）からフィルタ面２ａに照射された光は、該面２ａ上の光触媒を活性化させるとともに、該フィルタ２の光通過穴２３から他方の面２ｂ側に抜け、筐体周壁６１の内周面よりなる反射壁４に反射され、光触媒フィルタ２の他方の面２ｂの全体に照射され、該面２ｂ上の光触媒を同じく活性化させる。反射壁４は、筐体の金属素材面をそのまま又は鏡面に加工した面や、鏡面シートを周壁６１内面に貼り付けたものなどで構成される。
【００３４】
このように光触媒フィルタ２と光照射部３とが金属製の支持部材５により支持されているため、光照射部３に生じる熱は、当該支持部材５を通じて金属製の光触媒フィルタ２に伝わり、該光触媒フィルタ２の表面から気体に効率よく排熱されることになる。すなわち、本例によれば、支持部材および光触媒フィルタ２をヒートシンクとして効率よく機能させることができるのである。特に、本例では光照射部３の熱はＬＥＤ基板３３から発するため、これが直接的に取り付けられる支持部材５に効率よく熱が伝熱される。
【００３５】
支持部材５の第１の保持片５１が設けられる外側の位置と第２の保持片５２が設けられる内側の位置との間の領域には、支持される光触媒フィルタ２の内側の面２ａと導光部材３１の外周面３１ｂとの間の隙間ｓ１に気体を流入させるための通気孔５４が設けられている。本例では、支持部材５は前記通気孔５４に気体を強制的に送り込むファン７を介して筐体６の底板６２に取り付けられている。
【００３６】
ファン７には、互いに隙間をあけて配置される筒状の複数の脚部材７０が設けられ、該脚部材７０を介して上側に配置される支持部材５とともに取付ネジ７１により筐体底板６２にネジ止めされている。筐体周壁６１の底板６２との接続端部には、周方向に間隔をあけて内外貫通した複数の通気窓６３が設けられており、筐体外部から筐体底部に気体を取り込むことができる。ファン７は、この通気窓６３から筐体外部の気体を内部に引き込み、さらに脚部材７０の間から取り込んで上記隙間ｓ１に送り込む。支持部材５に支持された光触媒フィルタ２の外側の面２ｂと筐体周壁６１の内面との間にも、隙間ｓ２が形成されており、前記通気窓６３から取り込まれた外気は、一部、当該隙間ｓ２にも流入する。
【００３７】
筐体周壁６１の底板６２と反対側（図示上側）の端部には、前記隙間ｓ１、ｓ２と筐体外部とを連通する貫通した通気窓６５を有する蓋部材６４が取り付けられている。このように、通気窓６３から筐体内部に入り、筐体底側、すなわち光触媒フィルタ２の一端側２ｃから隙間ｓ１、ｓ２に流入した気体は、光触媒フィルタ２の山部２１および谷部２２が延びる方向に沿って、隙間ｓ１、ｓ２内をそれぞれ他端側２ｄに向けて流通した後、通気窓６５から筐体外部に放出される。
【００３８】
この隙間ｓ１、ｓ２内の流通過程で、気体は光触媒フィルタ２の波板状の表裏面２ａ，２ｂに効率よく接し、光を照射されて活性化された当該表裏面２ａ，２ｂ上の光触媒により効率よく浄化されることになる。筐体内に気体を流入させる通気窓６３およびその内側の光触媒フィルタ一端側２ｃとの間の空間ｓ３は、気体の流入部１１として機能し、光触媒フィルタ他端側２ｄと蓋部材６４との間の空間ｓ４および蓋部材の通気窓６５などは、気体の流出部１２として機能する。
【００３９】
このように、筐体６の内部では、筒状にして筐体６と同軸に配置された光触媒フィルタ２に対し、内側から外側に向けて放射方向に光が照射され、光通過穴２３を通じて内外の面に光が照射されるのに対し、気体はこれに交差する軸方向（山部２１および谷部２２が延びている方向）に沿って表裏両面の隙間ｓ１、ｓ２を流通路として流通し、その過程で活性化された光触媒により気体が効率よく浄化されることになる。このような交差形態により、本発明では隙間ｓ１、ｓ２を小さく設定することが可能とされ、装置全体をコンパクトに構成することを可能としている。
【００４０】
光通過穴２３は貫通した穴であり、当該穴を通じて光のみならず気体も隙間ｓ１、ｓ２間で行き交うことが可能とされている。当該穴に光透過性のフィルムを張り付けて光のみ通過可能とし、気体の流通は阻止するようにすることも可能である。通気窓６３、６５には、紫外線等が外部に出ないように遮光性を有する集塵フィルタを設けることが好ましく、該集塵フィルタにも光触媒を担持させることがより好ましい。
【００４１】
ファン７は、強制的に気体を筐体６内の隙間ｓ１、ｓ２の流路に流通させるための手段であり、省略することも可能であるし、配置箇所を筐体６内の他端側や筐体外部などに変更することもできる。底板６２の中央の貫通穴６６は、光照射部３のＬＥＤ基板３３やファン７に電力を供給するための配線を通す穴である。
【００４２】
本実施形態では、内部に光触媒フィルタ２、光照射部３を配置した筐体６により、外部から電源供給されれば光触媒装置として機能する一つの光触媒デバイスユニットＵ１が構成されている。
【００４３】
符号８は、内部に制御基板８０やバッテリ８１などが設けられる電源ケースであり、上述の筐体６によりまとめられた光触媒デバイスユニットＵ１の底板６２側に、同軸状に着脱可能に連結されている。電源ケース８の外周面には、電源スイッチ８５およびＵＳＢ接続用のコネクタ８６が露出して設けられており、ＵＳＢケーブルを通じてバッテリ８１を内蔵のまま充電できるように構成されている。電源ケース８には、さらに臭いセンサを設け、このセンサ出力に基づきオンオフ制御するようにして省電力化することも好ましい。このように、ユニットＵ１と電源ケース８とを着脱可能に構成することで、ユーザはバッテリ電力が無くなった場合に、予備の電源ケース８に付け替えて継続して使用することが可能となり、利便性が向上する。
【００４４】
電源ケース８の連結側の上板８２には、図２に示すように、ユニットＵ１側の底板６２の対応する位置に設けられただるま穴６７に着脱可能に係合する連結用のボルト頭部からなる係合突部８３が突設されている。これによりユニットＵ１と電源ケース８とは回転連結される。また、同じく上板８２の前記底板６２の貫通穴６６に対応する位置には貫通穴８４が形成され、ユニットＵ１側の光源３０及びファン７の図示しない配線を引き込み、電源ケース８内の対応する図示しない配線にコネクタ等で着脱可能に接続できるように構成されている。
【００４５】
なお、ユニットＵ１側の光源３０及びファン７と電源ケース８側との電気接続は、上述のように配線を通して接続すること以外に、たとえば図９に示すように、対面する底板６２の下面および上板８２の上面に、それぞれユニットＵ１と電源ケース８を上記回転連結させることで対応する端子間が電気接続することとなる接続端子６８、６９を設けたものが好ましい。これにより、配線を通してコネクタ接続する等の作業が不要となり、ユニットＵ１側と電源ケース８側の着脱作業も容易となる。本例では一方の接続端子（上板８２側の接続端子６９）をスプリングピン型コネクタとし、他方の接続端子（底板６２側の接続端子６８）を該スプリングピン型コネクタが前記回転連結により乗り上げて圧接する傾斜付きの端子板としているが、このような組み合わせに特に限定されない。
【００４６】
図９のように接続端子６８、６９で電気接続させる場合、光源３０用のプラス／マイナス端子、ファン７用のプラス／マイナス端子を一対一で合わせる必要がある。したがって、だるま穴６７及び係合突部８３の組み合わせを固定化するため、だるま穴６７及び係合突部８３の位置は、他と等間隔に配置されるのではなく、周方向または半径方向にずれた位置に設けられることが好ましい。これにより、だるま穴６７及び係合突部８３を他と同じ形状、構造のものを用いつつ、組み合わせを固定化させることができる。
【００４７】
図１０は、ユニットＵ１内に、複数（本例では２つ）の光触媒フィルタ２を軸方向に沿って複数設けた変形例にかかる光触媒装置１Ａを示している。本例では、光照射部３も光触媒フィルタ２に対応させて複数設けているが、導光部材３１を２つ以上の光触媒フィルタ２を貫通する長尺ものにして、光照射部３を２つ以上の光触媒フィルタ２に対して一つのみで構成することもできる。また、図示しないが、径の異なる筒状の光触媒フィルタを同軸状に径方向に複数重ねるように設けたものでもよい。
【００４８】
次に、図１１〜図１６に基づき、本発明の第２実施形態を説明する。
【００４９】
本実施形態の光触媒装置１Ａは、内部に光触媒フィルタ２、光照射部３を配置した筐体６Ａにより、外部から電源供給されれば光触媒装置として機能する一つの光触媒デバイスユニットＵ２が構成されている。このユニットＵ２は、第１実施形態のユニットＵ１と異なり、筐体６Ａが光触媒フィルタ２および導光部材３１に対面する反射壁４が内側に設けられた上側周壁６１１と上端に通気窓６５Ａを有する蓋部６４１とが一体形成された上側筐体６０１と、光触媒フィルタ２および導光部材３１それぞれの一端側２ｃ、３１ｃ（図示下端側）および光源３０を支持する支持部材５Ａ、光源３０、並びにファン７を囲み、通気窓６３Ａを有する下側周壁６１２と、電源ケース８Ａ側の接続端子６９Ａに電気接続される接続端子６８Ａおよびだるま穴６７を有する底板６２とが一体形成された下側筐体６０２とより分割構成されている。
【００５０】
このように筐体６Ａを上下に分割構成することで、内部の光触媒フィルタ２や光照射部３、ファン７等の組み付けや分解清掃、一部再利用、部品交換などが容易となり、製造コストを低減できるとともに利便性が向上する。上側筐体６０１および下側筐体６０２の互いに接合する箇所には、互いに係合する突起６１３および該突起６１３が係止する係止凹部６１４がそれぞれ設けられている。
【００５１】
上側筐体６０１の蓋部６４１の内面側には、通気窓６５Ａを塞ぐように一面に活性炭フィルタ７２が取り付けられている。これにより筐体６Ａから排出される気体を清浄化すると同時に、光照射部３の光が当該通気窓を通じて外部に漏れるのを防止している。このフィルタ７２は、図１３に示すように光触媒フィルタ２および導光部材３１と上側筐体６０１の蓋部６４１との間に挟持されるように介装され、上側筐体６０１を下側筐体６０２から分離させることで交換できるように構成されている。このような活性炭フィルタ７２は、活性炭繊維で編んだものがより好ましい。
【００５２】
下側筐体６０２の各通気窓６３Ａには、該通気窓６３Ａを塞ぐように集塵フィルタ７３が取り付けられている。本例では通気窓６３Ａごとに集塵フィルタ７３を内側の縁部に貼り付けるように設けられているが、一枚のフィルタを環状にして全周にわたり内面側に貼り付け等で取り付けたものや、差し込み用の案内片を設ける等して各々着脱可能に設けることも好ましい。
【００５３】
光触媒フィルタ２および光照射部３を支持する支持部材５Ａは、中央部にＬＥＤ基板３３を取り付ける取付面５３を有する取付部５５を有し、その周囲に複数の通気孔５４１が開設された金属製で平板状の第１の支持部材５０１と、その上面側に取り付けられ、外側の位置に光触媒フィルタ２の一端側２ｃ（図では下端側）の端部外周面を保持する第１の保持片５１Ａが軸方向に突設されるとともに、内側の位置に、光照射部３の導光部材３１の同じく一端側３１ｃ（図では下端側）の端部外周面を保持する第２の保持片５２Ａが軸方向に突設され、第１の保持片５１Ａと第２の保持片５２Ａとの間の領域に通気孔５４２が設けられ、第２の保持片５２Ａの内側の領域には、光源３０の光を導光部材３１に通すための貫通穴５６が設けられた金属製で立体的な形状の第２の支持部材５０２とより分割構成されている。
【００５４】
このように支持部材５Ａを分割構成することで、光源３０と導光部材３１の端部との隙間を適した距離に容易に設定できるとともに、製作も容易となり、コストダウンを図ることが可能となる。第１の支持部材５０１の前記取付部５５の通気孔５４１を臨む周縁部には凹凸部５５ａが形成されており、光源３０から生じた熱を通気孔５４１を通る気体に効率よく排熱できるように構成されている。このような第１の支持部材５０１は部材の打ち抜き加工等で容易に作製できる。
【００５５】
第２の支持部材５０２の保持片５１Ａは、周方向に沿って複数設けられており、保持片５２Ａについても、同じく周方向に沿って複数設けられている。いずれも筒状の一つの保持片としても勿論よい。また、第２の支持部材５０２の通気孔５４２は、前記第１の支持部材５０１の複数の通気孔５４１に対応させて複数設けられている。保持片５２Ａは、保持片５１Ａに対して軸方向上側にオフセットされており、第１の支持部材５０１に取り付けられる光源３０と導光部材３１の端部との間に隙間が維持されている。このような軸方向へのオフセットは、保持片５１Ａが設けられる外側の領域と保持片５２Ａが設けられる内側の領域とを橋渡しする複数の連結部５７を軸方向に傾斜させることで実現されている。このような第の支持部材５０２は、打ち抜きおよびプレス加工によって容易かつ効率よく作製できる。
【００５６】
ファン７、第１の支持部材５０１及び第２の支持部材５０２は、外側の領域の互いに対応する連通位置に、通孔７ａ、５８、５９が複数組設けられ、これを貫通して下側筐体６０２の底板６２の同じく対応する位置に設けられたネジ孔部６２ｂに螺合する取付ネジ７１により、当該下側筐体６０２内に固定されている。
【００５７】
本実施形態の電源ケース８Ａは、筐体６Ａと同様、制御基板８０を内蔵し、外周面に露出するスイッチ８５やＵＳＢ接続用のコネクタ８６などが設けられる上側ケース８０１と、バッテリ８１が内蔵される下側ケース８０２とより分割構成されている。このように電源ケース８Ａを上下に分割構成することで、内部の制御基板やバッテリ等の組み付けや分解清掃、一部再利用、部品交換などが容易となり、製造コストを低減できるとともに利便性が向上する。上側ケース８０１および下側ケース８０２の互いに接合する箇所には、互いに係合する突起８１３および該突起８１３が係止する係止凹部８１４がそれぞれ設けられている。
【００５８】
ユニットＵ２と電源ケース８Ａとの組み付け構造および電気接続構造は、上述の第１実施形態の図９の構造と基本的に同じであるが、本例では、組み付け状態でのロック機構として、電源ケース８Ａの上板８２に、略くの字状に屈曲した板ばね８７が設けられるとともに、ユニットＵ２の底板６２の対応する位置に、電源ケース側の係合突部８３をユニットＵ２側のだるま穴６７に挿入して相対回転させた際に、前記板ばね８７の先端が乗り越えることで逆回転可能に係止する係止突部７４が設けられている。板バネ８７の先端部には、Ｌ字状に上側ケース８０１の通孔８８を貫通して外周面上に突出する操作片８７ａが設けられており、突出した操作片８７ａを下側ケース８０２の方向に指で押し下げることにより、板バネ８７と係止突部７４との係合状態が解除され、前記逆回転への操作が可能となり、ユニットＵ２と電源ケース８Ａを分離できるように構成されている。このようなロック機構を設けたことで不必要なときにユニットＵ２と電源ケース８Ａとが分離してしまうことを防止できる。
【００５９】
その他の構成、変形例、作用効果等については、基本的には上述の第１実施形態と同じであるため、同一構造には同一符号を付し、説明を省略する。
【００６０】
次に、図１７及び図１８に基づき、本発明の第３実施形態を説明する。
【００６１】
本実施形態の光触媒装置１Ｂは、光触媒フィルタ２Ｂとして、図６に示すようにフラットな形態で使用する例、すなわち、第１、第２実施形態のように筒状に丸めて使用するのではなく、フラットのままで使用する例である。光照射部３についても、円柱状の導光部材３１ではなく、前記光触媒フィルタ２Ｂと平行に配置される同じくフラット板状の導光部材３１Ｂが用いられている。
【００６２】
筐体６Ｃは箱状に構成され、図示上側の内部領域に、フラット状の光触媒フィルタ２Ｂが配置され、上側の内部領域に、前記光触媒フィルタ２Ｂと間隔をあけて同じくフラット状の導光部材３１Ｂが平行に配置されている。このような導光部材３１Ｂを用いるのではなく、光源としてのＬＥＤ素子が所定間隔おきに設けられた同じく板状のＬＥＤ基板を配置したものも好ましい。
【００６３】
導光部材３１Ｂは、光触媒フィルタ２Ｂの山部及び谷部が延びる方向の一端側２ｃに対応する側の端面３１０を、対面配置された光源３０の光を入射させる入射面とし、且つ、端面３１０および光触媒フィルタ２Ｂに対面する光放出面３１１を除く面に、内面が反射面となった遮光層３２が設けられている。
【００６４】
導光部材３１Ｂの発光表面（光放出面３１１）からフィルタ面２ａに照射された光は、該面２ａ上の光触媒を活性化させるとともに、該フィルタ２Ｂの光通過穴から他方の面側に抜け、筐体６Ｃの上壁６１５の内面よりなる反射壁４に反射され、光触媒フィルタ２Ｂの他方の面２ｂの全体に照射され、該面２ｂ上の光触媒を同じく活性化させる。反射壁４は、筐体の金属素材面をそのまま又は鏡面に加工した面や、鏡面シートを上壁６１５内面に貼り付けたものなどで構成される。
【００６５】
光触媒フィルタ２と光照射部３とは、前記一端側２ｃの端部をそれぞれ筐体６Ｃ内の金属製の支持部材５Ｂにより支持されているため、光照射部３に生じる熱は、当該支持部材５Ｂを通じて金属製の光触媒フィルタ２Ｂに伝わり、該光触媒フィルタ２Ｂの表面から気体に効率よく排熱されることになる。すなわち、本例によれば、支持部材５Ｂおよび光触媒フィルタ２Ｂをヒートシンクとして効率よく機能させることができるのである。
【００６６】
支持部材５Ｂには、光触媒フィルタ２Ｂの上下の隙間ｓ１、ｓ２にそれぞれ連通する図示しない通気孔が設けられ、支持部材５Ｂに対して光触媒フィルタ２Ｂと反対側の筐体内部領域には、前記通気孔に気体を強制的に送り込むファン７が設けられている。また、ファン７に対して支持部材５Ｂと反対側の筐体上下左右の壁には、内外貫通した複数の通気窓６３Ｂが設けられており、筐体外部から筐体内に気体を取り込むことができる。ファン７は、この通気窓６３Ｂから筐体外部の気体を内部に引き込み、上記通気孔から上記隙間ｓ１、ｓ２に送り込む。
【００６７】
筐体６Ｂの前記光触媒フィルタ２Ｂの他端側２ｄに対面する端部の壁６１６には、隙間ｓ１、ｓ２と筐体外部とを連通する貫通した通気窓６５Ｂが設けられている。このように、通気窓６３Ｂから筐体内部に入り、隙間ｓ１、ｓ２に流入した気体は、光触媒フィルタ２Ｂの山部２１および谷部２２が延びる方向に沿って、隙間ｓ１、ｓ２内をそれぞれ他端側２ｄに向けて流通した後、通気窓６５Ｂから筐体外部に放出される。
【００６８】
この隙間ｓ１、ｓ２内の流通過程で、気体は光触媒フィルタ２Ｂの波板状の表裏面２ａ，２ｂに効率よく接し、光を照射されて活性化された当該表裏面２ａ，２ｂ上の光触媒により効率よく浄化されることになる。筐体内に気体を流入させる通気窓６３Ｂおよびその内側の光触媒フィルタ一端側２ｃとの間の空間ｓ３は、気体の流入部１１として機能し、光触媒フィルタ他端側２ｄと端部壁６１６との間の空間ｓ４および通気窓６５Ｂは、気体の流出部１２として機能する。
【００６９】
このように、筐体６Ｂの内部では、光触媒フィルタ２Ｂに対し、下側から上側に向けて光が照射され、光通過穴を通じて内外の面に光が照射されるのに対し、気体はこれに交差する軸方向（山部２１および谷部２２が延びている方向）に沿って表裏両面の隙間ｓ１、ｓ２を流通路として流通し、その過程で活性化された光触媒により気体が効率よく浄化されることになる。このような交差形態により、本発明では隙間ｓ１、ｓ２を小さく設定することが可能とされ、装置全体をコンパクトに構成することを可能としている。
【００７０】
本実施形態でも、内部に光触媒フィルタ２Ｂ、光照射部３を配置した筐体６Ｂにより、外部から電源供給されれば光触媒装置として機能する一つの光触媒デバイスユニットＵ３が構成されている。この光触媒デバイスユニットＵ３に、第１実施形態や第２実施形態と同様、ユニットＵ３と同じく箱型の電源ケースを接続すれば、電源ケース内のバッテリ電力で駆動する装置とすることができる。
【００７１】
その他の構成、変形例、作用効果等については、基本的には上述の第１実施形態、第２実施形態と同じであるため、同一構造には同一符号を付し、説明を省略する。
【００７２】
次に、図１９に基づき、本発明の第３実施形態を説明する。
【００７３】
本実施形態の光触媒装置１Ｃは、図１９に示すように、第１実施形態のユニットＵ１とほぼ同じ構造のユニットＵ４を用いて、照明装置（ランプ）として機能する光触媒装置を構成したものである。
【００７４】
電源供給は、照明装置（ランプ）の電力を利用できる。ここでは、ユニットＵ４の筐体６の周壁６１の一部を切り起こす等して、筐体６の外周面上に突出して照明用の光源９０を載置する載置片７５が設けられている。ユニットＵ４の周りには、透明なレンズ体が設けられる。レンズ筐体９１のユニットＵ４の通気窓６３、６５にそれぞれ対応する位置には、外気を導入する導入口９２及び排出する排気口９３が設けられる。これら導入口９２、排気口９３には、好ましくは防塵フィルタや防光ネットが設けられる。
【００７５】
尚、照明用光源９０を設ける位置は、本例のように筐体周壁６１ではなく、通気窓６５で囲まれた筐体先端側の壁部の中央部やその他の部位に設けたものでも勿論よい。また、人感センサを設けて、センサが人を感知しない間は照明のみ消して、光触媒装置としては動作しつづけるように制御することも好ましい例である。本例の照明装置として構成した光触媒装置はトイレなどの小スペースの照明装置として用いるのに特に好適である。
【００７６】
その他の構成、変形例、作用効果等については、基本的には上述の第１実施形態、第２実施形態と同じであるため、同一構造には同一符号を付し、説明を省略する。
【００７７】
以上、本発明の実施形態について説明したが、本発明はこうした実施例に何ら限定されるものではなく、共通のユニットを用いて照明装置以外にも種々の装置に組み込んだりすることもでき、本発明の要旨を逸脱しない範囲において種々なる形態で実施し得ることは勿論である。
【符号の説明】
【００７８】
１、１Ａ、１Ｂ、１Ｃ  光触媒装置      ２、２Ｂ  光触媒フィルタ
２ａ、２ｂ  フィルタ面                ２ｃ  一端側
２ｄ  他端側                          ３  光照射部
４  反射壁                            ５、５Ａ、５Ｂ  支持部材
６、６Ａ、６Ｂ、６Ｃ  筐体            ７  ファン
７ａ  通孔                            ８、８Ａ  電源ケース
１１  流入部                          １２  流出部
２０  部材                          ２１  山部
２２  谷部                            ２３  光通過穴
２４  起立片                          ２５  橋渡し部
３０  光源                            ３１、３１Ｂ  導光部材
３１ｂ  外周面                        ３１ｃ  一端側
３１ｄ  他端側                        ３２  遮光層
３３  基板                            ５１、５１Ａ  保持片
５２、５２Ａ  保持片                  ５３  取付面
５４  通気孔                          ５５  取付部
５５ａ凹凸部                          ５６  貫通穴
５７  連結部                          ６１  周壁
６２  底板                            ６２ｂ  ネジ孔部
６３、６３Ａ、６３Ｂ  通気窓          ６４  蓋部材
６５、６５Ａ、６５Ｂ  通気窓          ６６  貫通穴
６７  だるま穴                        ６８、６８Ａ  接続端子
６９、６９Ａ  接続端子                ７０  脚部材
７１  取付ネジ                        ７２  活性炭フィルタ
７３  集塵フィルタ                    ７４  係止突部
７５  載置片                          ８０  制御基板
８１  バッテリ                        ８２  上板
８３  係合突部                        ８４  貫通穴
８５  スイッチ                        ８６  コネクタ
８７  板バネ                          ８７ａ  操作片
８８  通孔                            ９０  光源
９１  レンズ筐体                      ９２  導入口
９３  排気口                          ３１０  端面
３１１  光放出面                      ５０１  第１の支持部材
５０２  第２の支持部材                ５４１  通気孔
５４２  通気孔                        ６０１  上側筐体
６０２  下側筐体                      ６１１  上側周壁
６１２  下側周壁                      ６１３  突起
６１４  係止凹部                      ６１５  壁
６１６  壁                            ６１６  壁
６４１  蓋部                          ８０１  上側ケース
８０２  下側ケース                    ８１３  突起
８１４  係止凹部                      ｓ１，ｓ２  隙間
ｓ３，ｓ４  空間                      Ｕ１、Ｕ２，Ｕ３、Ｕ４  ユニット
【図１】
2019103963.tif 000003
【図２】
2019103963.tif 000004
【図３】
2019103963.tif 000005
【図４】
2019103963.tif 000006
【図５】
2019103963.tif 000007
【図６】
2019103963.tif 000008
【図７】
2019103963.tif 000009
【図８】
2019103963.tif 000010
【図９】
2019103963.tif 000011
【図１０】
2019103963.tif 000012
【図１１】
2019103963.tif 000013
【図１２】
2019103963.tif 000014
【図１３】
2019103963.tif 000015
【図１４】
2019103963.tif 000016
【図１５】
2019103963.tif 000017
【図１６】
2019103963.tif 000018
【図１７】
2019103963.tif 000019
【図１８】
2019103963.tif 000020
【図１９】
2019103963.tif 000021